(57)【要約】【課題】緯度経度情報を持たないサービス提供媒体でも利用でき、ユーザメリットを増やし、同時に広告効果も高める広告情報提供方法を可能とする。【解決手段】ネットワークを介して端末装置と通信可能に接続されており、広告情報を提供するサーバ装置は、地点広告情報表示領域と施設情報表示領域を有している画面を生成するための画面生成情報と、地点広告情報と、施設情報とを記憶し、端末装置から受信したキーワードに適合する画面生成情報と、キーワードに合致する地点広告情報及び施設情報とを検索する情報検索手段を備え、検索した画面生成情報と地点広告情報と施設情報とに基づいて、検索結果画面を作成し、端末装置へ送信する。これにより、緯度経度情報を持たない媒体でも利用でき、さらに、ユーザメリットが増え、同時に広告効果も高まる。【選択図】図７
2009146181.tif 000002
【特許請求の範囲】
【請求項１】
ネットワークを介して端末装置と通信可能に接続されており、広告情報を提供するサーバ装置であって、
地点広告情報表示領域と施設情報表示領域を有している画面を生成するための画面生成情報と、地点広告情報と、施設情報とを記憶する情報記憶手段と、
前記端末装置から入力されたキーワードを受信するキーワード受信手段と、
前記キーワードに適合する前記画面生成情報と、前記キーワードに合致する前記地点広告情報及び施設情報とを検索する情報検索手段と、
前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成手段と、
前記検索結果画面を前記端末装置へ送信する検索結果画面送信手段と、を備えることを特徴とするサーバ装置。
【請求項２】
前記地点広告表示領域に表示する地点広告情報の数を設定する地点広告数設定手段をさらに備え、
前記検索結果画面作成手段は、前記地点広告数設定手段が設定した数を上限として、前記地点広告表示領域に前記地点広告情報を表示した検索結果画面を作成することを特徴とする請求項１に記載のサーバ装置。
【請求項３】
前記情報記憶手段は、前記地点広告情報及び前記施設情報を種別に分けて記憶しており、
前記キーワードに対応付けられた種別情報を受信する種別情報受信手段をさらに備え、
前記情報検索手段は、前記種別情報受信手段が受信した前記種別情報に対応する種別の情報が前記キーワードに合致する前記地点広告情報及び前記施設情報を検索することを特徴とする請求項１又は２に記載のサーバ装置。
【請求項４】
前記キーワードと、前記地点広告情報及び前記施設情報との合致度を判定する合致度判定手段と、
前記地点広告情報及び前記施設情報を、前記合致度判定手段が判定した合致度の降順に並べ替える合致度順並べ替え手段をさらに備え、
前記検索結果画面作成手段は、前記合致度順並べ替え手段が並べ替えた順に、前記地点広告情報及び前記施設情報を表示した検索結果画面を作成することを特徴とする請求項１乃至３のいずれか一項に記載のサーバ装置。
【請求項５】
前記情報記憶手段は、さらに前記地点広告情報が前記検索結果画面に表示された表示回数を前記地点広告情報と対応付けて記憶しており、
前記情報検索手段が検索した地点広告情報を表示回数の昇順に並べ替える表示回数順並べ替え手段をさらに備え、
前記検索結果画面作成手段は、前記表示回数順並べ替え手段が並べ替えた順に、前記地点広告表示領域に前記地点広告情報を表示した検索結果画面を作成することを特徴とする請求項１乃至４のいずれか一項に記載のサーバ装置。
【請求項６】
地点広告情報表示領域と施設情報表示領域を有している画面を生成するための画面生成情報と、地点広告情報と、施設情報とを記憶する情報記憶工程と、
前記端末装置から入力されたキーワードを受信するキーワード受信工程と、
前記キーワードに適合する前記画面生成情報と、前記キーワードに合致する前記地点広告情報及び施設情報とを検索する情報検索工程と、
前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成工程と、
前記検索結果画面を前記端末装置へ送信する検索結果画面送信工程と、を備えることを特徴とする広告情報提供方法。
【請求項７】
ネットワークを介して端末装置と通信可能に接続されており、広告情報を提供するサーバ装置によって実行されるプログラムであって、
地点広告情報表示領域と施設情報表示領域を有している画面を生成するための画面生成情報と、地点広告情報と、施設情報とを記憶する情報記憶手段、
前記端末装置から入力されたキーワードを受信するキーワード受信手段、
前記キーワードに適合する前記画面生成情報と、前記キーワードに合致する前記地点広告情報及び施設情報とを検索する情報検索手段、
前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成手段、
前記検索結果画面を前記端末装置へ送信する検索結果画面送信手段、として前記サーバ装置を機能させることを特徴とするプログラム。
【請求項８】
請求項７に記載のプログラムを記録したことを特徴とする記録媒体。
【発明の詳細な説明】
【技術分野】
【０００１】
本発明は、広告情報を提供する手法に関する。
【背景技術】
【０００２】
現在、Ｗｅｂ上には種々の広告が掲載されている。Ｗｅｂを利用した広告表示の一例としては、地図掲載サイトにおいて、緯度経度情報を用いて地図情報と地点広告情報とを関連付け、地図上の地点広告情報の対象施設の所在地に地点広告情報を表示させる方法が挙げられる。このような広告表示方法によれば、閲覧ユーザは、参照したい地域の地図を表示させると、地図情報と同時に当該地域に存在する施設の場所と地点広告情報とを視覚的に得ることができる。さらに、広告主は、地点広告情報の対象施設の所在地がある地域を参照した閲覧ユーザに広告を露出することができ、広告効果を高めることができるという利点がある。
【０００３】
特許文献１には、地図情報検索結果として、同一画面に地図情報と広告情報のそれぞれを表示する方法が記載されている。
【０００４】
特許文献２には、地域を指定することで地図情報と地域対応広告とが同時表示される方法が記載されている。
【０００５】
【特許文献１】特開２００３−３４５８３１号公報
【特許文献２】特開平１１−２９６５４０号公報
【発明の開示】
【発明が解決しようとする課題】
【０００６】
しかしながら、上記のような広告表示を行う場合、地図情報と関連付けて表示しているため、緯度経度情報が必要である。したがって、緯度経度情報を持たないサービス提供媒体は上記のような広告表示方法を利用できなかった。また、上記の広告表示方法は、地図上の施設の所在地に地点広告を表示するのみであり、ユーザメリットが少なかった。
【０００７】
本発明が解決しようとする課題としては、上記のものが例として挙げられる。本発明の目的は、緯度経度情報を持たないサービス提供媒体でも利用でき、ユーザメリットを増やし、同時に広告効果を高める広告情報提供方法を可能とするサーバ装置及びプログラムを提供することにある。
【課題を解決するための手段】
【０００８】
請求項１に記載の発明は、ネットワークを介して端末装置と通信可能に接続されており、広告情報を提供するサーバ装置であって、地点広告情報表示領域と施設情報表示領域を有している画面を生成するための画面生成情報と、地点広告情報と、施設情報とを記憶する情報記憶手段と、前記端末装置から入力されたキーワードを受信するキーワード受信手段と、前記キーワードに適合する前記画面生成情報と、前記キーワードに合致する前記地点広告情報及び施設情報とを検索する情報検索手段と、前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成手段と、前記検索結果画面を前記端末装置へ送信する検索結果画面送信手段と、を備えることを特徴とする。
【０００９】
請求項６に記載の発明は、広告情報表示方法であって、地点広告情報表示領域と施設情報表示領域を有している画面を生成するための画面生成情報と、地点広告情報と、施設情報とを記憶する情報記憶工程と、前記端末装置から入力されたキーワードを受信するキーワード受信工程と、前記キーワードに適合する前記画面生成情報と、前記キーワードに合致する前記地点広告情報及び施設情報とを検索する情報検索工程と、前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成工程と、前記検索結果画面を前記端末装置へ送信する検索結果画面送信工程と、を備えることを特徴とする。
【００１０】
請求項７に記載の発明は、ネットワークを介して端末装置と通信可能に接続されており、広告情報を提供するサーバ装置によって実行されるプログラムであって、地点広告情報表示領域と施設情報表示領域を有している画面を生成するための画面生成情報と、地点広告情報と、施設情報とを記憶する情報記憶手段、前記端末装置から入力されたキーワードを受信するキーワード受信手段、前記キーワードに適合する前記画面生成情報と、前記キーワードに合致する前記地点広告情報及び施設情報とを検索する情報検索手段、前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成手段、前記検索結果画面を前記端末装置へ送信する検索結果画面送信手段、として前記サーバ装置を機能させることを特徴とする。
【発明を実施するための最良の形態】
【００１１】
本発明の１つの観点では、ネットワークを介して端末装置と通信可能に接続されており、広告情報を提供するサーバ装置は、地点広告情報表示領域と施設情報表示領域を有している画面を生成するための画面生成情報と、地点広告情報と、施設情報とを記憶する情報記憶手段と、前記端末装置から入力されたキーワードを受信するキーワード受信手段と、前記キーワードに適合する前記画面生成情報と、前記キーワードに合致する前記地点広告情報及び施設情報とを検索する情報検索手段と、前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成手段と、前記検索結果画面を前記端末装置へ送信する検索結果画面送信手段と、を備えることを特徴とする。
【００１２】
上記のサーバ装置において、情報記憶手段は、画面生成情報と地点広告情報と施設情報とを記憶している。画面生成情報とは、地点広告情報を表示する地点広告表示領域と、施設情報を表示する施設情報表示領域とを有している画面を作成するための情報である。地点広告情報とは、施設の郵便番号、住所、最寄駅などの情報を含む広告情報である。キーワード受信手段は、端末装置から入力されたキーワードを受信し、情報検索手段は、当該キーワードに適合する画面生成情報と、当該キーワードに合致する地点広告情報及び施設情報とを検索する。検索結果画面作成手段は、検索した画面生成情報と地点広告情報と施設情報とに基づいて検索結果画面を作成し、検索結果画面送信手段は、作成した検索結果画面を端末装置に送信する。検索結果画面とは、ユーザが端末装置を用いて入力したキーワードに対する検索結果の表示画面であり、当該キーワードに合致する地点広告情報及び施設情報を表示した画面である。このように、サーバ装置が地点広告情報を検索する際、緯度経度情報ではなくキーワードで検索することで、緯度経度情報を持たないサービス提供媒体であっても地点広告情報を提供することができる。また、ユーザが入力したキーワードに合致する施設情報と共に、当該キーワードに合致する地点広告情報を表示するので、ユーザメリットが増え、広告効果を高めることができる。
【００１３】
上記のサーバ装置の他の一態様では、サーバ装置は前記地点広告表示領域に表示する地点広告情報の数を設定する地点広告数設定手段をさらに備え、前記検索結果画面作成手段は、前記地点広告数設定手段が設定した数を上限として、前記地点広告表示領域に前記地点広告情報を表示した検索結果画面を作成することを特徴とする。これにより、検索結果画面が表示されるブラウザに合わせて地点広告情報の表示数を変更し、見やすさの向上を図ることができる。
【００１４】
上記のサーバ装置の他の一態様では、前記情報記憶手段は、前記地点広告情報及び前記施設情報を種別に分けて記憶しており、キーワードに対応付けられた種別情報を受信する種別情報受信手段をさらに備え、前記情報検索手段は、前記種別情報受信手段が受信した前記種別情報に対応する種別の情報が前記キーワードに合致する前記地点広告情報及び前記施設情報を検索することを特徴とする。これにより、サーバ装置はキーワードを含む地点広告情報及び施設情報を検索する際、受信した種別情報に対応する情報だけを検索すれば良いので検索時間が短縮される。また、このように種別で検索できることで、ユーザは効率的に目的とする情報を得ることができる。
【００１５】
上記のサーバ装置の他の一態様では、前記キーワードと、前記地点広告情報及び前記施設情報との合致度を判定する合致度判定手段と、前記地点広告情報及び前記施設情報を、前記合致度判定手段が判定した合致度の降順に並べ替える合致度順並べ替え手段をさらに備え、前記検索結果画面作成手段は、前記合致度順並べ替え手段が並べ替えた順に、前記地点広告情報及び前記施設情報を表示した検索結果画面を作成することを特徴とする。これにより、ユーザが求めている情報により近いものほど上位に表示され、地点広告情報及び施設情報を淘汰することができる。
【００１６】
上記のサーバ装置の他の一態様では、前記情報記憶手段は、さらに前記地点広告情報が前記検索結果画面に表示された表示回数を前記地点広告情報と対応付けて記憶しており、前記情報検索手段が検索した地点広告情報を表示回数の昇順に並べ替える地点広告情報並べ替え手段をさらに備え、前記検索結果画面作成手段は、前記地点広告情報並べ替え手段が並べ替えた順に、前記地点広告表示領域に前記地点広告情報を表示した検索結果画面を作成することを特徴とする。これにより、地点広告情報の表示の平準化を図ることができる。表示回数（以下、インプレッション数と呼ぶ。）は、地点広告情報と対応付けて記憶されており、当該地点広告情報が検索結果画面に何回表示されたかを示す数値である。
【００１７】
本発明の他の観点では、地点広告情報表示領域と施設情報表示領域を有している画面を生成するための画面生成情報と、地点広告情報と、施設情報とを記憶する情報記憶工程と、前記端末装置から入力されたキーワードを受信するキーワード受信工程と、前記キーワードに適合する前記画面生成情報と、前記キーワードに合致する前記地点広告情報及び施設情報とを検索する情報検索工程と、前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成工程と、前記検索結果画面を前記端末装置へ送信する検索結果画面送信工程と、を備えることを特徴とする広告情報提供方法によっても、緯度経度情報を持たないサービス提供媒体であっても地点広告情報を提供することができ、ユーザメリットを増やし、同時に広告効果を高めることが可能となる。
【００１８】
本発明の他の観点では、ネットワークを介して端末装置と通信可能に接続されており、広告情報を提供するサーバ装置によって実行されるプログラムは、地点広告情報表示領域と施設情報表示領域を有している画面を生成するための画面生成情報と、地点広告情報と、施設情報とを記憶する情報記憶手段、前記端末装置から入力されたキーワードを受信するキーワード受信手段、前記キーワードに適合する前記画面生成情報と、前記キーワードに合致する前記地点広告情報及び施設情報とを検索する情報検索手段、前記キーワードに適合する画面生成情報により生成される画面の、前記地点広告表示領域に前記キーワードに合致する地点広告情報を表示し、前記施設情報表示領域に前記キーワードに合致する施設情報を表示した、検索結果画面を作成する検索結果画面作成手段、前記検索結果画面を前記端末装置へ送信する検索結果画面送信手段、として前記サーバ装置を機能させる。このようなプログラムをサーバ装置上で実行することによっても、緯度経度情報を持たないサービス提供媒体であっても地点広告情報を提供することができ、ユーザメリットを増やし、同時に広告効果を高めることが可能となる。なお、プログラムは、記録媒体に記録した状態で好適に取り扱うことができる。
【実施例】
【００１９】
以下、図面を参照して本発明の好適な実施例について説明する。
【００２０】
［地点広告情報提供システムの概略構成］
図１に、地点広告情報提供システム１００の概念図を示す。本実施例では、地点広告情報提供システム１００は、端末装置１と、サーバ装置３とがネットワーク２を通じて接続されることにより構成される。ここで、ネットワーク２の１つの好適な例はインターネットである。
【００２１】
端末装置１は、地点広告情報を含む検索結果画面の閲覧を要求する利用者が使用するクライアント端末である。地点広告情報の詳細については、後述する。具体的に、地点広告情報を含む検索結果画面を閲覧する利用者が端末装置１を使用して、閲覧を希望するキーワードを入力すると、端末装置１は、入力されたキーワードをサーバ装置３へ送信するとともに、地点広告情報及び施設情報を含む検索結果画面の送信要求を行う。そして、端末装置１は、サーバ装置３から地点広告情報及び施設情報を含む検索結果画面を受信すると、当該検索結果画面を表示する。
【００２２】
サーバ装置３は、地点広告情報及び施設情報を保持し、端末装置１からの要求に応じた地点広告情報及び施設情報を検索し、当該地点広告情報及び施設情報を含む検索結果画面を生成し、端末装置１へ送信する。
【００２３】
［地点広告情報提供サーバ］
図２は、本発明の実施例に係るサーバ装置３の概略構成を示す図である。
【００２４】
サーバ装置３は、例えば、サーバコンピュータにより構成され、システムバス１１と、ＣＰＵ（Ｃｅｎｔｒａｌ  Ｐｒｏｃｅｓｓｉｎｇ  Ｕｎｉｔ）１２と、メモリ１３と、キーボード１４と、マウスなどの座標指示デバイス１５と、ディスプレイ１６と、プリンタ１７と、ハードディスクなどのデータ記憶装置１８と、データ通信ユニット１９とを備える。ここで、キーボード１４及び座標指示デバイス１５は、入力装置である。また、ディスプレイ１６及びプリンタ１７は、出力装置である。データ通信ユニット１９による送信は、ＵＳＢ（Ｕｎｉｖｅｒｓａｌ  Ｓｅｒｉａｌ  Ｂｕｓ）ケーブルを使用した有線送信、端子などの接触によるデータ送信など、データ通信ユニット１９から端末装置１へデータ送信が可能であれば、任意の方法を適用することができる。ＣＰＵ１２は、サーバ装置３全体を制御し、入出力装置の制御を行う。
【００２５】
ＣＰＵ１２、メモリ１３、データ記憶装置１８、データ通信ユニット１９は、システムバス１１に接続される。キーボード１４、座標指示デバイス１５、ディスプレイ１６、プリンタ１７も図示しないインタフェースを介してシステムバス１１に接続される。メモリ１３は、作業メモリとしても使用される。
【００２６】
データ記憶装置１８は、図示の通り、広告基礎情報ＤＢ３６０と、画面生成情報ＤＢ３８０と、表示管理情報ＤＢ３９０と、広告画像関連情報ＤＢ４００と、一般施設情報ＤＢ４１０と、画像ファイル４３０とを保持する。
【００２７】
広告基礎情報ＤＢ３６０は、地点広告基礎情報３６１を管理するデータベースである。ここで、地点広告基礎情報３６１のデータ構造を図３（ａ）に示す。地点広告基礎情報３６１は、地点広告を一意に識別する広告ＩＤ３６２と、広告対象の施設名称を示す施設名称３６３と、広告対象の施設のジャンルを示すジャンル３６４と、広告対象の施設の住所を示す住所３６５と、広告対象の施設の設置個所に該当する都道府県を示す都道府県３６６と、広告対象の施設の設置個所に該当する市区町村を示す市区町村３６７と、広告対象の施設の電話番号を示す電話番号３６８と、広告対象の施設の位置座標情報（例えば、緯度経度等）を示す座標情報３６９と、広告用のコメントを示すコメント３７０と、広告対象の施設のホームページ（パソコン用）のＵＲＬ（Ｕｎｉｆｏｒｍ  Ｒｅｓｏｕｒｃｅ  Ｌｏｃａｔｏｒ）を示すＰＣ用ＵＲＬ３７１と、広告対象の施設のホームページ（携帯用）のＵＲＬを示す携帯用ＵＲＬ３７２と、広告対象の施設の最寄駅を示す最寄駅３７３と、広告対象の施設の住所に対応する郵便番号を示す郵便番号３７４とを有する情報である。
【００２８】
画面生成情報ＤＢ３８０は、画面生成情報を管理するデータベースである。ここで、画面生成情報とは、地点広告情報を表示する地点広告表示領域と施設情報を表示する施設情報表示領域とを有している画面を作成するための情報である。
【００２９】
表示管理情報ＤＢ３９０は、表示管理情報３９１を管理するデータベースである。ここで、表示管理情報３９１のデータ構造を図３（ｂ）に示す。表示管理情報３９１は、地点広告を一意に識別する広告ＩＤ３９２と、地点広告情報が表示等された回数を示すインプレッション数３９３とを有する情報である。
【００３０】
広告画像関連情報ＤＢ４００は、地点広告画像関連情報４０１を管理するデータベースである。ここで、地点広告画像関連情報４０１のデータ構造を図３（ｃ）に示す。地点広告画像関連情報４０１は、地点広告を一意に識別する広告ＩＤ４０２と、画像ファイルの保存先を示す画像ファイル保存先情報４０３とを有する情報である。
【００３１】
一般施設情報ＤＢ４１０は、施設情報４１１を管理するデータベースである。ここで、施設情報とは、広告用に登録された情報ではなく、一般的に開示されている施設の情報である。施設情報４１１のデータ構造を図３（ｄ）に示す。施設情報４１１は、施設を一意に識別する施設ＩＤ４１２と、施設の名称を示す施設名称４１３と、施設のジャンルを示すジャンル４１４と、施設の住所を示す住所４１５と、施設の設置個所に該当する都道府県を示す都道府県４１６と、施設の設置個所に該当する市区町村を示す市区町村４１７と、施設の電話番号を示す電話番号４１８と、施設の位置座標情報（例えば、緯度経度等）を示す座標情報４１９と、施設の最寄駅を示す最寄駅４２０と、施設の住所に対応する郵便番号を示す郵便番号４２１とを有する情報である。また、データ記憶装置１８は、地点広告情報として用いられる画像データを含む画像ファイル４３０を保持する。
【００３２】
なお、地点広告情報とは、地点広告基礎情報３６１及び当該地点広告基礎情報に関連する画像データを含む情報をいう。
【００３３】
［地点広告情報提供ユニット］
図４は、ユーザが入力したキーワードに合致する地点広告情報及び施設情報を表示した検索結果画面を作成し、端末装置に送信する地点広告情報提供ユニット２００の機能ブロック図である。地点広告情報提供ユニット２００は、実態的には、サーバ装置３の構成要素により構成される。つまり、本実施例においてサーバ装置３は、地点広告情報提供ユニット２００が搭載された地点広告情報提供装置として機能する。
【００３４】
図４に示すように、地点広告掲載ユニット２００は、情報記憶部２０１、情報受信部２０２、情報検索部２０３、画面作成部２０４、情報送信部２０５、表示数設定部２０６、合致度判定部２０７、情報並べ替え部２０８を備える。
【００３５】
情報記憶部２０１は、地点広告情報及び施設情報を表示した画面である検索結果画面を作成するために必要な情報を記憶する。具体的に、情報記憶部２０１は、地点広告情報、施設情報、画面生成情報、表示管理情報を記憶している。
【００３６】
情報受信部２０２は、ユーザが端末装置１を使用して種別を選択後、キーワードを入力することにより端末装置１から送信されたキーワードとキーワードに対応付けられた種別情報とを受信する。すなわち、本実施例において情報受信部２０２は、キーワード受信手段及び種別情報受信手段として機能する。
【００３７】
情報検索部２０３は、情報受信部２０２が受信したキーワードに合致する地点広告情報及び施設情報と、キーワードに適合する画面生成情報とを情報記憶部２０１に記憶されている地点広告情報と施設情報と画面生成情報とから検索する。
【００３８】
画面作成部２０４は、情報検索部２０３が検索した画面生成情報より地点広告表示領域および施設情報表示領域を有する画面を作成し、当該地点広告表示領域に情報検索部２０３が検索した地点広告情報を表示させ、当該施設情報表示領域に施設情報を表示させた検索結果画面を作成する。
【００３９】
情報送信部２０５は、画面作成部２０４が作成した検索結果画面を端末装置１に送信する。
【００４０】
表示数設定部２０６は、画面作成部２０４が作成する検索結果画面において、地点広告表示領域に表示する地点広告情報の数を設定する。画面作成部２０４は、表示数設定部２０６によって設定された数を上限として、地点広告表示領域に地点広告情報を表示させ、検索結果画面を作成する。
【００４１】
合致度判定部２０７は、情報受信部２０２が受信したキーワードと、情報検索部２０３が検索した地点広告情報及び施設情報との合致度を判定する。
【００４２】
情報並べ替え部２０８は、情報検索部２０３が検索した地点広告情報及び施設情報を、合致度判定部２０７が判定した合致度の降順に並べ替える。また、情報並べ替え部２０８は、情報記憶部２０１が記憶している表示管理情報に基づいて、情報検索部２０３が検索した地点広告情報をインプレッション数の昇順に並べ替える。すなわち、本実施例において情報並べ替え部２０８は、合致度順並べ替え手段及び表示回数順並べ替え手段として機能する。画面作成部２０４は、情報並べ替え部２０８によって並べ替えられた順番で、地点広告表示領域に地点広告情報を表示させ、検索結果画面を作成する。
【００４３】
［地点広告情報提供方法］
次に、地点広告情報提供ユニット２００により、ユーザに対して、ユーザが入力したキーワードに合致する地点広告情報を提供する方法について説明する。
【００４４】
ユーザは、まず、端末装置１を使用し、キーワードを入力する。端末装置１は入力されたキーワードをサーバ装置３に送信し、地点広告情報提供ユニット２００の情報受信部２０２が、キーワードを受信する。情報検索部２０３は、情報記憶部２０１に記憶されている地点広告情報と施設情報と画面生成情報の中から、受信したキーワードに合致する地点広告情報及び施設情報と、受信したキーワードに適合する画面生成情報とを検索し、画面作成部２０４は、検索した地点広告情報と施設情報と画面生成情報とに基づいて検索結果画面を作成する。
【００４５】
図５は検索結果画面の例である。検索結果画面は地点広告情報表示領域Ａ１と、施設情報表示領域Ａ２と、種別選択領域Ａ３とを有する。地点広告情報表示領域Ａ１には、キーワードに合致する地点広告情報が表示され、施設情報表示領域Ａ２にはキーワードに合致する施設情報が表示されている。種別選択領域Ａ３は、ユーザが種別情報を選択する際に使用される。なお、検索結果画面は、図５の例に限定されるものではなく任意に設定することができる。
【００４６】
本実施例では、地点広告情報提供ユニット２００の表示設定部２０６は地域広告情報表示領域に表示する地点広告情報の数を設定し、画面作成部２０４は設定した数を上限として地点広告情報を地域広告情報表示領域に表示する。図５の例では地点広告情報の数を「３」に設定している。
【００４７】
また、本実施例では、情報記憶部２０１は地点広告情報及び施設情報を種別に分けて記憶している。ユーザが種別を選択した後キーワードを入力すると、選択された種別情報は入力されたキーワードと対応付けられ、端末装置１からサーバ装置３に送信される。地点広告情報提供ユニット２００の情報受信部２０２は、キーワードと共に種別情報を受信し、情報検索部２０３は、受信した種別情報に対応する種別の情報がキーワードに合致する地点広告情報及び施設情報を検索する。具体的に種別情報とは、施設名、郵便番号、住所、駅名、などが考えられる（図５の種別選択欄Ａ３を参照）。前述のように、ユーザが種別情報を選択し、当該種別情報に対応する情報の中からキーワードに合致する情報を検索することにより、検索の効率化を図ることができる。
【００４８】
さらに、合致度判定部２０７は、情報受信部２０２が受信したキーワードと、情報検索部２０３が検索した地点広告情報及び施設情報との合致度を判定する。具体的には、情報の中の文字列とキーワードの文字列との合致する割合などにより行う。また、種別を施設名として検索する場合は、特定の文字列に対して合致度を定義した定義情報を情報記憶部２０１が記憶し、合致度判定部２０７は、合致度を判定する際、当該定義情報を参照することとしても良い。さらに、種別を施設名として検索する場合は、前方一致検索を行うとより好適である。
【００４９】
情報並べ替え部２０８は、情報検索部２０３が検索した地点広告情報及び施設情報を合致度判定部２０７により判定された合致度の降順に並べ替える。画面作成部２０４は情報並べ替え部２０８が並べ替えた合致度の降順に地点広告情報及び施設情報を表示する。図６は、検索した地点広告情報及び施設情報を合致度の降順に並べ替え、表示した検索結果画面の例である。これにより、ユーザが入力したキーワードにより合致する情報ほど上位に表示され、ユーザにとって不要であろう情報を削減することができる。
【００５０】
さらに、情報並べ替え部２０８は、情報記憶部２０１に記憶されている表示管理情報に基づいて、情報検索部２０３が検索した地点広告情報をインプレッション数の昇順に並べ替える。画面作成部２０４は情報並べ替え部２０８が並べ替えたインプレッション数の昇順に地点広告情報を表示する。過去の表示回数の少ない地点広告情報が優先して表示されることとなるので、複数の地点広告情報の表示回数の偏りを無くすことができる。
【００５１】
情報送信部２０５は、作成した検索結果画面を端末装置１に送信する。端末装置１は、受信した検索結果画面を表示する。
【００５２】
［地点広告情報提供処理］
次に、本実施例による地点広告情報提供処理について図７を参照して説明する。地点広告情報提供ユニット２００は、サーバ装置３の構成要素により構成されるものであって、地点広告情報提供処理は、図２に示すＣＰＵ１２がメモリ１３に記憶されたプログラムを実行することにより実現される。図７は、地点広告情報提供処理のフローチャートである。
【００５３】
ユーザはまず、端末装置１を使用し、種別を選択した後、キーワードを入力する。端末装置１は、種別の選択とキーワードの入力を受け取り（ステップＳ１）、キーワード及び種別情報をサーバ装置３に送信する（ステップＳ２）。
【００５４】
サーバ装置３の情報受信部２０２は、端末装置１からキーワード及び種別情報を受信し（ステップＳ３）、情報検索部２０３は、情報記憶部２０１に記憶されている画面生成情報の中から受信したキーワードに適合する画面生成情報を検索する（ステップＳ４）。さらに、情報検索部２０３は、情報記憶部２０１に記憶されている地点広告情報及び施設情報の中から、種別情報に対応する種別の情報がキーワードに合致する地点広告情報及び施設情報を検索する（ステップＳ５）。合致度判定部２０７は、情報受信部２０２が受信したキーワードと、情報検索部２０３が検索した地点広告情報及び施設情報との合致度を判定する（ステップＳ６）。
【００５５】
次に、情報並べ替え部２０８は、情報検索部２０３が検索した地点広告情報及び施設情報を合致度判定部２０７が判定した合致度の降順に並べ替える（ステップＳ７）。さらに、情報並べ替え部２０８は、情報記憶部２０１が記憶している表示管理情報に基づいて、合致度判定部２０７が同じ合致度であると判定した地点広告情報をインプレッション数の少ない順に並べ替える（ステップＳ８）。画面作成部２０４は、情報検索部２０３が検索した画面生成情報に基づき、地点広告情報表示領域及び施設情報表示領域を有する画面を作成し、情報並べ替え部２０８が並べ替えた順番に、地点広告情報及び施設情報を表示させ、検索結果画面を作成する（ステップＳ９）。情報送信部２０５は、作成した検索結果画面を端末装置１に送信する（ステップＳ１０）。
【００５６】
端末装置１は、検索結果画面を受信し（ステップＳ１１）、受信した検索結果画面を表示する（ステップＳ１２）。これにより、図５又は図６に例示するような結果検索画面が端末装置１に表示され、地点広告情報提供処理は完了する。
【００５７】
以上述べたように、本実施例のサーバ装置によれば、ユーザは広告情報をキーワードで検索するため、緯度経度情報を持たないサービス提供媒体でも地点広告情報を提供できる。また、ユーザが入力したキーワードに合致する施設情報と共に、当該キーワードに合致する地点広告情報を表示するので、ユーザメリットが増え、広告効果を高める広告情報提供方法が可能となる。
【００５８】
［変形例］
上記の実施例では、端末装置はパーソナルコンピュータを想定しているが、携帯電話でも可能である。携帯電話を利用する場合、ユーザは携帯電話の操作ボタンでキーワードを入力する。携帯電話はキーワードをサーバ装置に送信し、サーバ装置から検索結果画面を受信し、表示する。
【００５９】
上記の実施例における地点広告情報提供処理は、情報を合致度の降順に並べ替える処理と、情報をインプレッション数の昇順に並べ替える処理とを含んでいたが、本発明の適用はこの形態に限られない。即ち、これら並べ替え処理のうちの１つだけを含んで地点広告情報提供処理を行っても良いし、並べ替え処理をどちらも含まずに地点広告情報提供処理を行っても良い。
【００６０】
また、上記の実施例では、ユーザは端末装置を利用して種別情報の選択を行った後キーワードの入力を行い、端末装置は、当該種別情報とキーワードをサーバ装置に送信し、サーバ装置は、当該種別情報に基づいて、地点広告情報及び施設情報からキーワードに合致する情報を検索していたが、本発明はこの形態に限られず、種別情報の選択はなくても良い。
【００６１】
上記の実施例では、地点広告情報提供システム１００において、サーバ装置３が単体で、地点広告情報表示領域Ａ１に表示すべき地点広告情報の検索・表示に関する処理、及び施設情報表示領域Ａ２に表示すべき施設情報の検索や表示等に関する処理を行う場合について述べたが、本発明はこれに限られず、上記の２つの処理を複数のサーバ装置で分担して処理を行うようにしても良い。例えば、地点広告情報提供システム１００において、サーバ装置Ａとサーバ装置Ｂを備えるようにし、サーバ装置Ａが地点広告情報表示領域Ａ１に表示すべき地点広告情報の検索・表示に関する処理を行い、サーバ装置Ｂが施設情報表示領域Ａ２に表示すべき施設情報の検索や表示等に関する処理を行う等が考えられる。
【００６２】
この場合、検索結果画面を表示済みの端末装置１からサーバ装置Ａへ書き換え用の地点広告情報の提供要求を行うと、サーバ装置Ａが端末装置１へ地点広告情報を提供する。そして、端末装置１は、取得した地点広告情報を用いて地点広告情報表示領域Ａ１の書き換え表示を行う。なお、端末装置１からサーバ装置Ｂを介してサーバ装置Ａへ書き換え用の広告情報提供要求を行っても良い。
【００６３】
また、検索結果画面を表示済みの端末装置１からサーバ装置Ｂへ書き換え用の施設情報の提供要求を行うと、サーバ装置Ｂが端末装置１へ施設情報を提供する。そして、端末装置１は、取得した施設情報を用いて施設情報表示領域Ａ２の書き換え表示を行う。なお、端末装置１からサーバ装置Ａを介してサーバ装置Ｂへ書き換え用の施設情報提供要求を行っても良い。
【００６４】
上記の実施例では、地点広告情報の見やすさの向上などのため、検索結果画面に表示する地点広告情報の数を設定することになっていたが、設定しなくても良い。ただし、実際には、携帯電話を端末装置として利用する場合など、検索結果画面を表示するブラウザによって制限される。
【図面の簡単な説明】
【００６５】
【図１】地点広告情報提供システムの概略構成を示すブロック図である。
【図２】サーバ装置の構成示すブロック図である。
【図３】データベースで管理されている情報のデータ構造を模式的に示すブロック図である。
【図４】地点広告情報提供ユニットの機能構成を示すブロック図である。
【図５】検索結果画面の例である。
【図６】合致度の降順に情報を並べ替えた検索結果画面の例である。
【図７】地点広告情報提供処理を示すフローチャートである。
【符号の説明】
【００６６】
１１  システムバス
１２  ＣＰＵ
１３  メモリ
１４  キーボード
１５  座標指示デバイス
１６  ディスプレイ
１７  データ通信ユニット
１８  データベース
１００  地点広告情報提供システム
２００  地点広告情報提供ユニット
【図１】
2009146181.tif 000003
【図２】
2009146181.tif 000004
【図３】
2009146181.tif 000005
【図４】
2009146181.tif 000006
【図５】
2009146181.tif 000007
【図６】
2009146181.tif 000008
【図７】
2009146181.tif 000009